(57)【要約】【課題】既存の移動体通信システムを利用して、小さい移動局の装置規模で、テレビ放送サービスを実現すること。【解決手段】基地局制御局３０は、テレビ放送局１０、１１または中継局２０からテレビ放送情報を受信し、受信したテレビ放送情報を、テレビ放送の配信に用いられる伝送フォーマットから移動体通信に用いられる伝送フォーマットにフォーマット変換し、基地局４０、４１を経由して移動局５０に送信する。基地局制御局３０において、受信部３１はテレビ放送情報を受信し、変換部３２は前述のフォーマット変換を行い、送信部３３はフォーマット変換されたテレビ放送情報を基地局４０、４１に送信する。【選択図】　　　図１
2004040531.tif 000002
【特許請求の範囲】
【請求項１】
テレビ放送画像とテレビ放送音声とを含むテレビ放送情報を受信する受信手段と、
受信されたテレビ放送情報を、テレビ放送の配信に用いられる伝送フォーマットから移動体通信に用いられる伝送フォーマットにフォーマット変換する変換手段と、
フォーマット変換されたテレビ放送情報を基地局へ送信する送信手段と、
を具備することを特徴とする基地局制御局。
【請求項２】
テレビ放送画像とテレビ放送音声とを含むテレビ放送情報およびテレビ放送番組一覧を含む番組情報を受信する受信手段と、
受信された番組情報を受信されたテレビ放送情報に多重する多重手段と、
番組情報が多重されたテレビ放送情報を、テレビ放送の配信に用いられる伝送フォーマットから移動体通信に用いられる伝送フォーマットにフォーマット変換する変換手段と、
フォーマット変換されたテレビ放送情報を基地局へ送信する送信手段と、
を具備することを特徴とする基地局制御局。
【請求項３】
テレビ放送画像とテレビ放送音声とを含み、テレビ放送番組一覧を含む番組情報が多重され、テレビ放送の配信に用いられる伝送フォーマットから移動体通信に用いられる伝送フォーマットにフォーマット変換されたテレビ放送情報を受信する受信手段と、
受信されたテレビ放送情報から番組情報を分離する分離手段と、
番組情報が分離されたテレビ放送情報に含まれるテレビ放送画像、または番組情報を表示する表示手段と、
番組情報が分離されたテレビ放送情報に含まれるテレビ放送音声を出力する出力手段と、
を具備することを特徴とする移動局。
【発明の詳細な説明】
【０００１】
【発明の属する技術分野】
本発明は、移動体通信システムにおいて使用される基地局制御局および移動局に関する。
【０００２】
【従来の技術】
現在、移動体通信で一般ユーザに提供されているサービスとして、音声通信（電話）機能、データ通信機能、テレビ電話機能などが挙げられる。また、近年では、音楽／動画データをネットワーク側から移動局へダウンロードし、ユーザが音楽や動画を楽しめるサービスも実施されている。特開２００２−１０２５５号公報記載の装置は、移動体通信においてリアルタイムで音声／動画データを送受信し、テレビ電話サービスを提供する音声／動画データ送受信装置である。
【０００３】
【発明が解決しようとする課題】
ところで、音声／動画データを提供するサービスとして、テレビ放送が広く普及している。テレビ放送サービスを受けたい者は、テレビ受像装置があればいつでもテレビ放送の音声や動画を受信することができ、これを視聴することができる。しかしながら、上記公報に記載の音声／動画データ送受信装置とテレビ受像装置とでは、互いに異なるチャネルから伝送フォーマットの異なるデータが受信される。よって、音声／動画データ送受信装置は、音声／動画データを受信、再生する構成を具備しているにもかかわらず、テレビ放送サービスをユーザに対して提供することはできない。また、携帯型の音声／動画データ送受信装置にテレビ放送用の音声や画像を受信するための構成を別に搭載すると、装置サイズが大きくなってしまい、携帯端末としての利点が低減されてしまう。
【０００４】
本発明は、かかる点に鑑みてなされたものであり、既存の移動体通信システムを利用して、小さい移動局の装置規模で、テレビ放送サービスを実現することができる基地局制御局および移動局を提供することを目的とする。
【０００５】
【課題を解決するための手段】
本発明の基地局制御局は、テレビ放送画像とテレビ放送音声とを含むテレビ放送情報を受信する受信手段と、受信されたテレビ放送情報を、テレビ放送の配信に用いられる伝送フォーマットから移動体通信に用いられる伝送フォーマットにフォーマット変換する変換手段と、フォーマット変換されたテレビ放送情報を基地局へ送信する送信手段と、を具備する構成を採る。
【０００６】
この構成によれば、受信されたテレビ放送情報は、テレビ放送の配信に用いられる伝送フォーマットから、移動体通信において既に提供されている音声通信サービスやテレビ電話サービスに使用される情報と同一の伝送フォーマットに変換される。このため、テレビ放送の配信に用いられる伝送フォーマットを有するテレビ放送情報を受信するための装置を移動局内部に追加することなく、移動体通信システムにおいてテレビ放送サービスを実現することができる。
【０００７】
本発明の基地局制御局は、テレビ放送画像とテレビ放送音声とを含むテレビ放送情報およびテレビ放送番組一覧を含む番組情報を受信する受信手段と、受信された番組情報を受信されたテレビ放送情報に多重する多重手段と、番組情報が多重されたテレビ放送情報を、テレビ放送の配信に用いられる伝送フォーマットから移動体通信に用いられる伝送フォーマットにフォーマット変換する変換手段と、フォーマット変換されたテレビ放送情報を基地局へ送信する送信手段と、を具備する構成を採る。
【０００８】
この構成によれば、受信されたテレビ放送情報と番組情報は、テレビ放送の配信に用いられる伝送フォーマットから、移動体通信において既に提供されている音声通信サービスやテレビ電話サービスに使用される情報と同一の伝送フォーマットに変換される。このため、テレビ放送の配信に用いられる伝送フォーマットを有するテレビ放送情報を受信するための装置を移動局内部に追加することなく移動体通信システムにおいてテレビ放送サービスを実現することができる。また、これと同時に、テレビ放送サービスで提供されるテレビ番組の一覧を提供することができる。これによって、ユーザは、提供されているテレビ放送サービスのコンテンツを随時把握することができる。
【０００９】
本発明の移動局は、テレビ放送画像とテレビ放送音声とを含み、テレビ放送番組一覧を含む番組情報が多重され、テレビ放送の配信に用いられる伝送フォーマットから移動体通信に用いられる伝送フォーマットにフォーマット変換されたテレビ放送情報を受信する受信手段と、受信されたテレビ放送情報から番組情報を分離する分離手段と、番組情報が分離されたテレビ放送情報に含まれるテレビ放送画像、または番組情報を表示する表示手段と、番組情報が分離されたテレビ放送情報に含まれるテレビ放送音声を出力する出力手段と、を具備する構成を採る。
【００１０】
この構成によれば、移動局は、テレビ放送情報および番組情報を、テレビ放送の配信に用いられる伝送フォーマットから、移動体通信に用いられる伝送フォーマットに変換された状態で受信し、これらを分離する。このため、ユーザは、一般のテレビ受像装置を使用することなくテレビ放送サービスを受けることができるとともに、提供されるテレビ放送サービスのコンテンツを知ることができる。
【００１１】
【発明の実施の形態】
本発明の骨子は、テレビ放送情報や番組情報を、テレビ放送の配信に用いられる伝送フォーマットから、移動体通信に用いられる伝送フォーマットにフォーマット変換することである。
【００１２】
以下、本発明の実施の形態について、図面を参照して詳細に説明する。
【００１３】
（実施の形態１）
図１は、本発明の実施の形態１に係る基地局制御局を含む移動体通信システムを示すブロック図である。
【００１４】
テレビ放送局１０、１１からは、テレビ放送画像およびテレビ放送音声を含むテレビ放送情報が、有線もしくは無線で配信される。配信されるテレビ放送情報は、例えば既存の地上波テレビ放送に用いられている伝送フォーマットを有する。テレビ放送局１０、１１から送信されたテレビ放送情報は、基地局制御局３０で受信される。なお、基地局制御局３０が、例えばテレビ放送局１０からテレビ放送情報を直接受信することが困難な場合は、中継局２０を設ける。基地局制御局３０では、受信されたテレビ放送情報が、地上波テレビ放送に用いられる伝送フォーマットから移動体通信に用いられる伝送フォーマットにフォーマット変換される。フォーマット変換されたテレビ放送情報は、基地局４０、４１を経由して、移動局５０に送信される。
【００１５】
なお、テレビ放送局、中継局、基地局制御局、基地局、移動局の各局の局数は、図１に示された数に限定されない。
【００１６】
図２は、基地局制御局３０の構成を示すブロック図である。
【００１７】
受信部３１は、テレビ放送局１１または中継局２０からテレビ放送情報を受信する。受信されたテレビ放送情報は、変換部３２にて、地上波テレビ放送に用いられる伝送フォーマットから移動体通信に用いられる伝送フォーマットにフォーマット変換される。フォーマット変換された変換後テレビ放送情報は、送信部３３から基地局４０、４１に向けて送信される。その際、変換後テレビ放送情報は、既存の移動体通信サービスである音声通信やテレビ電話等の情報に多重されてから送信されても良い。
【００１８】
このように、本実施の形態によれば、受信されたテレビ放送情報は、テレビ放送の配信に用いられる伝送フォーマットから、移動体通信において既に提供されている音声通信サービスやテレビ電話サービスに使用される情報と同一の伝送フォーマットに変換される。このため、テレビ放送の配信に用いられる伝送フォーマットを有するテレビ放送情報を受信するための特別な装置を移動局内部に追加することなくテレビ放送サービスを実現することができる。
【００１９】
（実施の形態２）
図３は、本発明の実施の形態２に係る基地局制御局６０の構成を示すブロック図である。なお、この基地局制御局６０において、図２に示す基地局制御局３０と同様の構成については、同一の符号を付して詳しい説明を省略する。
【００２０】
本実施の形態の特徴は、受信部６１が、テレビ放送情報を受信するテレビ放送情報受信部６２と、テレビ放送番組一覧を含む番組情報を受信する番組情報受信部６３とを有することである。番組情報は、テレビ放送情報と同様にテレビ放送局から配信されるものでも良いし、パソコン等のツールから定期的に入力されるものでも良い。ここで、テレビ放送番組一覧とは、テレビ番組のタイトルのリストである。具体的には、受信可能な全てのテレビ放送局が今現在放送している番組のタイトルのリスト、または、あるテレビ放送局でこれから放送する予定になっている番組のタイトルのリスト等が、番組情報として、番組情報受信部６３にて受信される。なお、本実施の形態では、テレビ放送情報を受信するための構成と、番組情報を受信するための構成とを互いに独立させているが、受信部６１が単独で両方の情報を受信しても良い。
【００２１】
また、本実施の形態のもう一つの特徴は、多重部６４が具備されていることである。多重部６４は、テレビ放送情報受信部６２にて受信されたテレビ放送情報に、番組情報受信部６３にて受信された番組情報を多重する。番組情報が多重されたテレビ放送情報は、変換部３２に供給される。変換部３２および送信部３３の動作に関しては、上述の実施の形態１と同様である。
【００２２】
次いで、本発明の実施の形態２に係る移動局について、図４を参照して説明する。
【００２３】
変換後テレビ放送情報受信部５１は、フォーマット変換されて基地局制御局６０から送信された変換後テレビ放送情報を、基地局４０、４１のいずれか一つを経由して受信する。分離部５２は、受信された変換後テレビ放送情報から番組情報を分離する。番組情報が分離されたテレビ放送情報のうち、テレビ放送画像は表示部５３に表示される。これと同時に、番組情報が分離されたテレビ放送情報のうち、テレビ放送音声は、出力部５４から出力される。番組情報は、ユーザの操作に応答して、表示部５３に表示される。
【００２４】
このように、本実施の形態によれば、受信されたテレビ放送情報と番組情報は、テレビ放送の配信に用いられる伝送フォーマットから、移動体通信において既に提供されている音声通信サービスやテレビ電話サービスに使用される信号と同一の伝送フォーマットに変換される。このため、テレビ放送の配信に用いられる伝送フォーマットを有するテレビ放送情報を受信するための装置を移動局内部に追加することなくテレビ放送サービスを実現することができる。また、これと同時に、テレビ放送サービスで提供されるテレビ番組の一覧を提供することができる。
【００２５】
また、本実施の形態によれば、移動局は、テレビ放送情報および番組情報を、テレビ放送の配信に用いられる伝送フォーマットから、移動体通信に用いられる伝送フォーマットに変換された状態で受信し、これらを分離する。このため、ユーザは、一般のテレビ受像装置を使用することなくテレビ放送サービスを受けることができるとともに、提供されるテレビ放送の番組の一覧を知ることができる。
【００２６】
【発明の効果】
以上説明したように、本発明によれば、既存の移動体通信システムを利用して、小さい移動局の装置規模で、テレビ放送サービスを実現することができる。
【図面の簡単な説明】
【図１】本発明の実施の形態１に係る移動体通信システムの構成を示すブロック図
【図２】本発明の実施の形態１に係る基地局制御局の構成を示すブロック図
【図３】本発明の実施の形態２に係る基地局制御局の構成を示すブロック図
【図４】本発明の実施の形態２に係る移動局の構成を示すブロック図
【符号の説明】
１０、１１　テレビ放送局
２０　中継局
３０、６０　基地局制御局
３１、６１　受信部
３２　変換部
３３　送信部
４０、４１　基地局
５０　移動局
５１　変換後テレビ放送情報受信部
５２　分離部
５３　表示部
５４　出力部
６２　テレビ放送情報受信部
６３　番組情報受信部
６４　多重部
【図１】
2004040531.tif 000003
【図２】
2004040531.tif 000004
【図３】
2004040531.tif 000005
【図４】
2004040531.tif 000006